(57)【要約】【課題】光ビームの走査方向と原版の縁の方向とを平行にするとともに、原版を効率的に使用することができるドラム型露光装置を提供することを目的とする。【解決手段】ドラムの回転方向から所定程度傾くようにドラムに巻き付けられた、感光材料が重ねられたシート状の原版を、回転軸に沿う方向から所定程度傾けて搭載されたチャック、あるいは回転軸に沿う方向から所定程度傾いた位置に並べられた複数のチャックによってドラム上に固定する。チャックが原版を挟み込むために必要とする銜え代の領域を減少させることにより、原版のうちの露光可能な領域を増加させて、原版を効率的に使用することができる。【選択図】        図６
2004258205.tif 000002
【特許請求の範囲】
【請求項１】
回転軸を中心に回転する、回転方向から所定程度傾くようにシート状の感光材料が周面に巻き付けられるドラムと、
前記ドラム上に、前記回転軸に沿う方向から前記所定程度と同じ程度傾けて搭載される、該ドラムとの間に前記感光材料を挟み込んで該感光材料を該ドラムに固定するチャックと、
前記ドラムの周面に光を照射しながら照射位置を前記回転軸に沿う方向に移動させることによって、該ドラム上の感光材料をらせん状に露光する露光部とを備えたことを特徴とするドラム型露光装置。
【請求項２】
回転軸を中心に回転する、回転方向から所定程度傾くようにシート状の感光材料が周面に巻き付けられるドラムと、
前記ドラム上に前記回転軸に沿う方向から前記所定程度と同じ程度傾いた方向に複数並んで搭載される、該ドラムとの間に前記感光材料を挟み込んで該感光材料を該ドラムに固定するチャックと、
前記ドラムの周面に光を照射しながら照射位置を前記回転軸に沿う方向に移動させることによって、該ドラム上の感光材料をらせん状に露光する露光部とを備えたことを特徴とするドラム型露光装置。
【発明の詳細な説明】
【０００１】
【発明の属する技術分野】
本発明は、シート状の感光材料をドラムに巻き付けて露光するドラム型露光装置に関する。
【０００２】
【従来の技術】
従来、印刷の分野においては、ＰＳ版（Ｐｒｅｓｅｎｓｉｔｉｚｅｄ  Ｐｌａｔｅ）とよばれる、アルミニウムなどの薄板上に親水層と感光層とが順に重ねられた原版をドラムに巻き付け、ドラムを回転させながら原版を露光するドラム型露光装置が広範に用いられている。このドラム型露光装置は、ワークステーションなどから、印刷画像を構成するＣＭＹＫ４色の各色版画像を表す各色用の画像データを取得し、取得した各画像データに基づいた光ビームを原版にそれぞれ照射することにより、ＣＭＹＫ各色用の原版を露光する。露光された各原版は、さらに、現像装置に装着されて現像が行われ、各原版上の光ビームが照射された部分（各色版画像に相当する部分）のみ感光層が残り、それ以外の部分は感光層が除去されて親水層が露出した印刷版が生成される。これらの印刷版は印刷機に装着されて、印刷版の親水層が油性のインクをはじくことで印刷版の感光層にのみインクが塗布され、各色版画像が１版ずつ重ね合わさるように印刷されて印刷画像が形成される。
【０００３】
ところで、ドラム型露光装置においては、近年、露光速度を高めるために、複数本の光ビームが並べられた光ビーム群を使用し（以下、複数本の光ビームによって一度に照射される幅をバンド幅と称する）、原版をバンド幅ごとに露光していく方式が適用されたドラム型露光装置へと技術が進歩している。
【０００４】
上記のようなドラム型露光装置を用いる場合、ドラムが１回転するごとに、光ビーム群の照射位置をバンド幅だけ横に移動させる必要がある。これを実現させる第１の方式として、ドラムが１回転する間は照射位置を固定して光ビーム群を照射し、その後、光ビーム群の照射を停止して、例えば光ビーム群の発射角度を変えるなどの方法により照射位置をバンド幅だけ横にずらし、さらにその後、照射位置を固定して光ビーム群を照射することを繰り返す方式が考案されている。しかし、この第１の方式によると、光ビーム群の照射・停止・照射位置の移動を繰り返すために、露光速度が低下してしまうなどという問題がある。
【０００５】
また、第２の方式として、一定の速度で照射位置を移動させながら光ビーム群を照射することで、原版をらせん状に露光する方法も考案されている。以下では、この第２の方式を適用したドラム型露光装置を用いて、原版を露光する方法について説明する。
【０００６】
図１（Ａ）は、上記の第２の方式を適用したドラム型露光装置の一部を示している。ドラム１０の周面にまっすぐに巻き付けられた原版２０は、チャック１１によってドラム１０に固定されている。原版２０は、照射装置３０から発射される光ビーム群３１によって照射されることにより、照射された領域２１が露光される。光ビーム群３１は、複数本の光ビームが並べられて発射されたものであり、ドラム１０の周面上の照射位置３２をバンド幅Ｗで照射する。照射装置３０は、光ビーム群３１を発射しながら、ドラム１０が１回転する間にバンド幅Ｗだけずれるような一定の速さで、光ビーム群３１の照射位置３２を、矢印ａが示す方向に移動させる。図１（Ｂ）は、露光後の原版２０を示している。図１（Ａ）に示す、第２の方式が適用されたドラム型露光装置を用いて露光を行うと、原版２０はらせん状に露光されるため、原版２０上の露光された領域２１は、その側端２１ａがバンド幅Ｗだけ横方向に傾いてしまう。図１（Ｂ）に示す原版２０は、長方形状の原版２０の側端２０ａと露光された領域２１の側端２１ａが平行でないために、通常の印刷物の形状（長方形）に合わないなどという問題がある。ここで、これらの問題を解決する方法として、ドラム１０に原版２０を巻き付ける際に、バンド幅Ｗに合わせて原版２０を斜めに巻き付ける方式が知られている。
【０００７】
図２（Ａ）は、上記の第２の方式を適用したドラム型露光装置の一部を示している。図２（Ａ）では、図１（Ａ）とは異なり、原版２０がドラム１０の周面に斜めに巻き付けられている。図２（Ｂ）は、図２（Ａ）に示すドラム型露光装置で露光された原版２０を示している。図２（Ｂ）の原版２０では、原版２０の側端２０ａと露光された領域２１の側端２１ａが平行になっている。また、露光された各領域２１の各上端２１ｂは、図２（Ａ）の照射装置３０において光ビーム群３１を発射するタイミングが調整されることにより、全体的に見ると一直線上に並べられて配置されており、全ての領域２１を合わせた露光領域は、長方形に近い形を形成している。このように、原版２０をドラム１０に斜めに巻き付けることにより、露光された領域全体の形状を通常の印刷物の形状である長方形に合わせることができる。
【０００８】
ところで、ドラム型露光装置においては、ドラムが回転しているときに原版がずれたり、ドラムと原版との間に浮きが生じたりするのを防ぐために、図１（Ａ）および図２（Ａ）に示すチャック１１のような、原版をドラムに固定する原版固定装置が必要となる。特許文献１には、原版の位置を検知する検知装置と、検知装置で検知された原版の位置を基に、原版をドラムとの間に挟みこんで原版をドラムに固定するチャックとを備えた原版固定装置について記載されている。
【０００９】
【特許文献１】
特開２０００−１１２１４２号公報
【００１０】
【発明が解決しようとする課題】
ここで、図２（Ａ）のように原版を斜めにドラムに巻き付ける場合、原版を挟むためにチャックが最低限必要とする銜え代の他に、余分な銜え代が必要となる。
【００１１】
図３は、図２（Ａ）のドラムおよびドラムに巻き付けられた原版を示す図である。原版２０上に示された破線Ｌ１は、図２（Ａ）に示すチャック１１の端が取り付けられる位置を表し、破線Ｌ１と点線Ｌ２で囲まれた領域２２は、チャック１１が原版２０を挟み込むために最低限必要な必要銜え代を表している。また、原版２０上の斜線の領域２３は、本来は必要ではない余分な銜え代であるハッチを表している。必要銜え代の領域２２およびハッチの領域２３をあわせた銜え代は、露光することができずに無駄になる領域であるが、近年、露光可能な領域を増加させて原版を効率的に利用したいという要望が高まっている。また、一方で、光ビームの走査方向と原版の縁の方向とを平行にするために上記の第２の方式を適用したいという要望もあり、これらの要望を満たすドラム型露光装置の開発が望まれている。
【００１２】
本発明は上記事情に鑑み、光ビームの走査方向と原版の縁の方向とを平行にするとともに、原版を効率的に使用することができるドラム型露光装置を提供することを目的とする。
【００１３】
【課題を解決するための手段】
本発明の第１のドラム型露光装置は、
回転軸を中心に回転する、回転方向から所定程度傾くようにシート状の感光材料が周面に巻き付けられるドラムと、
ドラム上に、回転軸に沿う方向から上記所定程度と同じ程度傾けて搭載される、ドラムとの間に感光材料を挟み込んで感光材料をドラムに固定するチャックと、
ドラムの周面に光を照射しながら照射位置を回転軸に沿う方向に移動させることによって、ドラム上の感光材料をらせん状に露光する露光部とを備えたことを特徴とする。
【００１４】
本発明の第１のドラム型露光装置は、感光材料がドラムの回転方向から所定程度傾けて斜めにドラムに巻き付けられるとともに、その感光材料をドラムに固定するためのチャックも、感光材料が巻き付けられた方向に合わせて所定程度傾けて搭載される。したがって、感光材料を挟み込むための銜え代が減少するため、感光材料上の露光可能な領域が増加し、感光材料の利用効率を向上させることができる。また、本発明の第１のドラム型露光装置には、感光材料をらせん状に露光する、上記の第２の方式を適用することができるため、光ビームの走査方向と原版の縁の方向とを平行にすることができる。
【００１５】
また、本発明の第２のドラム型露光装置は、
回転軸を中心に回転する、回転方向から所定程度傾くようにシート状の感光材料が周面に巻き付けられるドラムと、
ドラム上に回転軸に沿う方向から上記所定程度と同じ程度傾いた方向に複数並んで搭載される、ドラムとの間に感光材料を挟み込んで感光材料をドラムに固定するチャックと、
ドラムの周面に光を照射しながら照射位置を回転軸に沿う方向に移動させることによって、ドラム上の感光材料をらせん状に露光する露光部とを備えたことを特徴とする。
【００１６】
本発明の第２のドラム型露光装置は、感光材料がドラムの回転方向から所定程度傾けて斜めにドラムに巻き付けられるとともに、複数のチャックを備え、それらのチャックが所定程度傾けた方向に並べて搭載される。この第２のドラム型露光装置によると、銜え代を減少させて感光材料の利用効率を向上させることができ、さらに、複数のチャックで感光材料を固定させるため、感光材料にしわをよせずに、より正確に感光材料をドラムに固定することができる。
【００１７】
【発明の実施の形態】
以下、本発明の実施形態について説明する。
【００１８】
印刷画像を作成する際には、上述したように、ドラム型露光装置において、感光材料が塗布されたシート状の原版が露光される。この原版は、本発明にいう感光材料の一例に相当する。露光された原版は現像装置において現像されて印刷版が生成され、さらに、印刷機において印刷版にインクが塗布されて、印刷画像が印刷される。以下では、このドラム型露光装置について説明する。
【００１９】
図４は、本発明の一実施形態が適用されたドラム型露光装置を示す概略構成図である。
【００２０】
ドラム型露光装置１２には、ドラム１００、先端チャック１１０、給排版ユニット２００、後端チャック保持部３００、後端チャック３１０、先端チャック押離部４００、ローラ５００、および露光部６００が備えられている。
【００２１】
ドラム型露光装置１２における本発明の一実施形態としての特徴は、先端チャック１１０および後端チャック３１０にあるが、まず、ドラム型露光装置１２の全体の構成について説明する。
【００２２】
ドラム１００は、原版を周面に巻き付けて矢印ｃの方向に回転するドラムである。ドラム１００に原版をまっすぐに巻き付けて、バンド幅Ｗの光ビーム群によって原版を露光すると、原版上の露光された領域の側端が、バンド幅Ｗだけ横に傾いてしまう。これを回避するため、本実施形態においては、原版は矢印ｃの方向から、バンド幅Ｗに合わせて所定角度θだけ傾くように巻き付けられる。この所定角度θは、本発明にいう所定程度の一例にあたる。尚、原版とドラム１００との位置関係については、後で詳しく説明する。また、ドラム１００には、後述する後端チャック３１０を取り付けるために、ドラム１００の周面に沿うようにドラム１００の回転する方向に伸びる溝が設けられている。このドラム１００は、本発明のドラム型露光装置におけるドラムの一例に相当する。
【００２３】
先端チャック１１０は、ドラム１００上の回転軸方向から所定角度θ傾いた方向に複数並べられ、さらに回転軸方向から所定角度θ傾けて搭載されており、原版の先端を把持して原版をドラム１００に固定する。先端チャック１１０は、先端チャック押離部４００によって押されるとチャックが開いてドラム１００との間に原版を挟み込む隙間を形成し、先端チャック押離部４００が離れるとチャックが閉じてドラム１００との間の隙間を閉じる。
【００２４】
給排版ユニット２００には、原版をドラム１００へ給版する給版ガイド２２０と、原版をドラム１００から排版する排版ガイド２１０とが具備されている。
【００２５】
先端チャック押離部４００は、先端チャック１１０に１対１に相応して並べられた複数の突起４１０を備えている。ドラム１００が回転して先端チャック１１０が先端チャック押離部４００の真下に来ると、先端チャック押離部４００は先端チャック１１０へ向けて移動し、突起４１０は相応する先端チャック１１０を押してチャックを開く。給版ガイド２２０から原版が給版され、原版の先端が先端チャック１１０とドラム１００との間の隙間に装着されると、先端チャック押離部４００は元の位置に移動し、突起４１０は先端チャック１１０を離してチャックを閉じる。
【００２６】
後端チャック保持部３００は、後端チャック３１０を、ドラム１００の回転軸に沿う方向から所定角度θ傾けて保持している。ドラム１００が回転して、ドラム１００に巻き付けられている原版の後端が後端チャック保持部３００の真下に来ると、後端チャック保持部３００はドラム１００に向けて移動し、後端チャック３１０をドラム１００に固定する。
【００２７】
ここで、一旦図４の説明を中止し、図５を用いて後端チャック３１０をドラム１００に固定する方法について説明する。
【００２８】
図５は、後端チャック３１０を示す図である。
【００２９】
図５（Ａ）に示すように、後端チャック３１０は、コマ部３１１とチャック部３１２とで構成されている。チャック部３１２は、原版を挟み込む部分であり、コマ部３１１が貫通している。コマ部３１１は、ドラム１００から遠い側（上端）が図４に示す後端チャック保持部３００によって保持されており、保持されていない側（下端）の底面が楕円形を構成している。また、ドラム１００の溝１２０は、入口ほど狭く奥ほど広い形状をしており、後端チャック保持部３００は、コマ部３１１の下端を、楕円の長径が溝１２０の伸びる方向に沿うように溝１２０に嵌入し、さらに、コマ部３１１を９０度回動させる。
【００３０】
図５（Ｂ）は、コマ部３１１を回動させたときの後端チャック３１０を示している。コマ部３１１が回動すると、底面の楕円の長径が溝１２０の伸びる方向と直交するように配置される。このとき、溝１２０の入口よりも楕円の長径の方が長くなり、コマ部３１１は溝１２０から抜けることのないように固定される。
【００３１】
図４および図５に示す先端チャック１１０および後端チャック３１０は、本発明のドラム型露光装置におけるチャックの一例に相当する。
【００３２】
ここで、図５の説明を終了し、図４に戻って説明する。
【００３３】
ローラ５００は、原版をドラム１００に巻き付けるときにドラム１００に向けて移動し、原版をドラム１００に密着させるためのローラである。
【００３４】
露光部６００は、ワークステーション（図示しない）などから入力した画像データに基づいた光ビーム群を発射し、その光ビーム群でドラム１００の周面を照射する。また、光ビーム群によって照射されるドラム１００上の照射位置を、一定の速度で回転軸に沿う方向に移動させることにより、ドラム１００に斜めに巻き付けられた原版を、バンド幅Ｗごとにらせん状に露光する。この露光部６００は、本発明のドラム型露光装置における露光部の一例に相当する。
【００３５】
ドラム型露光装置１２は、基本的には以上のように構成されており、次に、ドラム型露光装置１２に原版を巻き付けて、原版を露光する一連の手順について説明する。
【００３６】
ドラム１００が回転して、先端チャック１１０が先端チャック押離部４００の真下に移動すると、先端チャック押離部４００は先端チャック１１０へ向けて駆動し、各突起４１０が相応する先端チャック１１０を押すことにより先端チャック１１０が開く。
【００３７】
図示しないカセット内に収容された原版は、給排版ユニット２００の給版ガイド２２０によってドラム１００へ給版されて、原版の先端が先端チャック１１０とドラム１００との間に形成された隙間に装着される。原版の先端が正しい位置に装着されると、先端チャック押離部４００は元の位置に移動し、その移動に伴って突起４１０が先端チャック１１０から離れて、先端チャック１１０とドラム１００との間の隙間が閉じる。
【００３８】
原版の先端が先端チャック１１０によって把持されると、ドラム１００は矢印ｃの方向に回転し、ローラ５００はドラム１００との間に原版を挟んで原版をドラム１００に密着させる。また、図示しないセンサによって原版の後端が後端チャック保持部３００の真下に移動したことが検知されると、後端チャック保持部３００はドラム１００に向けて移動する。後端チャック保持部３００は、後端チャック３１０をドラム１００の回転軸に沿う方向から所定角度θ傾けて保持しており、後端チャック３１０のコマ部３１１（図５参照）をドラム１００の溝１２０に嵌入させて９０度回動させることにより、後端チャック３１０を、ドラム１００に回転軸に沿う方向から所定角度θ傾けて固定させる。後端チャック３１０がドラム１００に固定されると、後端チャック保持部３００は後端チャック３１０をドラム１００に残して元の位置に移動する。原版の後端が後端チャック３１０に把持されると、ローラ５００は元の位置に移動し、ドラム１００は矢印ｃの方向に高速回転する。
【００３９】
ドラム１００が高速回転するのに伴い、露光部６００は、光ビーム群の照射位置を回転軸に沿う方向に移動させながら、光ビーム群をドラム１００へ向けて照射して原版を露光する。
【００４０】
露光が終了すると、原版の後端が後端チャック保持部３００の真下にくるようにドラム１００が回転する。
【００４１】
後端チャック保持部３００は後端チャック３１０に向けて移動して、図２に示すコマ部３１１をドラム１００に固定したときと逆に回動させ、後端チャック３１０をドラム１００から取り外す。
【００４２】
後端チャック３１０が取り外されると、ドラム１００は、先端チャック１１０が先端チャック押離部４００の真下にくるように回転する。先端チャック押離部４００は、先端チャック１１０を開き、原版の先端を開放する。このとき、原版の後端は排版ガイド２１０上に乗っており、排版ガイド２１０が図示しない排版口へ向けて原版を運び、露光処理が終了する。
【００４３】
次に、本発明のドラム型露光装置の特徴である先端チャック１１０および後端チャック３１０について詳しく説明する。
【００４４】
図６は、原版をドラム１００の周面に巻き付けたときの、図４に示すドラム型露光装置１２の正面図である。
【００４５】
図６に示すように、原版４０は、ドラム１００の周面に、ドラム１００の回転方向である矢印ｃの方向から所定角度θだけ傾くように巻き付けられている。また、先端チャック１１０は、回転軸方向である矢印ｄの方向から所定角度θ傾いた方向に複数並べられており、各先端チャック１１０それぞれが矢印ｄの方向から所定角度θだけ傾けて搭載されている。後端チャック３１０も、先端チャック１００と同様に、矢印ｄの方向から所定角度θだけ傾けて搭載されている。露光部６００は、光ビーム群６０１をドラム１００の周面に向けて照射する。このとき、光ビーム群６０１によって照射される照射位置６１０はバンド幅Ｗを有し、露光部６００は、ドラム１００が１回転する間にバンド幅Ｗだけ矢印ｄの方向に移動するような一定の速さで、照射位置６１０を矢印ｄの方向にずらす。この露光部６００から発射された光ビーム群によって、ドラム１００の周面に巻き付けられた原版４０が照射され、原版４０上の照射された領域４１が露光される。このようにして、原版４０は、バンド幅Ｗごとにらせん状に露光される。
【００４６】
図７は、図６にも示す原版４０およびドラム１００を示す図である。原版４０上の破線Ｌ３は、図６に示す先端チャック１１０および後端チャック３１０の端が取り付けられる位置を表し、斜線の領域４２は、先端チャック１１０および後端チャック３１０が原版４０を挟み込むための銜え代を表している。図２（Ａ）に示すように、チャックを傾けずにまっすぐにドラムに搭載した場合には、図３の斜線の領域２３のような余分なハッチを必要としたが、図６に示す本実施形態によると、図７に示すように、ハッチを必要とせずに小さな銜え代で原版４０を挟み込むことができる。
【００４７】
このように、原版をドラムの回転方向から所定程度傾けてドラムの周面に巻き付け、その原版をドラムに固定するチャックを原版の傾きに合わせて斜めに搭載することにより、原版を挟み込むために必要な銜え代を減少させることができ、原版における露光可能な領域を増加させることができる。さらに、本実施形態のドラム型露光装置には、光ビーム群による照射位置を一定の速度で移動させながら露光する第２の方式が適用されており、光ビームの走査方向と原版の縁の方向とを平行にすることができる。
【００４８】
以上で、チャックをドラムの回転軸に沿う方向から所定程度傾けて搭載する本発明の第１実施形態の説明を終了し、次に、本発明の第２実施形態について説明する。この第２実施形態は、チャックの形状などは第１実施形態と同様な構成を有するが、図６の後端チャック７２０とは異なり、１つではなく複数のチャックで原版をドラムに固定するという点と、図６の先端チャック７１０および後端チャック７２０とは異なり、チャックは回転軸に沿う方向から傾けられずにまっすぐ搭載されるという点において第１実施形態と相違している。以下では、第１実施形態との相違点に注目して説明する。
【００４９】
図８は、本発明の第２実施形態におけるドラム型露光装置の一部を示す正面図である。
【００５０】
図６に示す第１実施形態のドラム１００は、先端チャック１１０および後端チャック３１０が矢印ｄの方向から所定角度θ傾けて搭載されていたが、本実施形態における先端チャック７１０および後端チャック７２０は傾けずにまっすぐに搭載されている。また、図６の後端チャック３１０は１つであったが、図８の後端チャック７２０は、回転軸方向である矢印ｄの方向から所定角度θ傾いた方向に複数並べて搭載されている。
【００５１】
図９は、図８の原版４０およびドラム７００を示す図である。原版４０上の点線Ｌ４で囲まれた領域は、図８の先端チャック７１０および後端チャック７２０が原版４０と接触している領域を表し、斜線の領域４３は、先端チャック７１０および後端チャック７２０が原版４０を挟み込むための銜え代を表している。図９で示すように、本実施形態のドラム型露光装置におけるチャックが必要とする銜え代も、図７に示す第１実施形態のドラム型露光装置におけるチャックが必要とする銜え代（図７の斜線の領域４２）と同様に、無駄なハッチが省かれているため、原版７０上の露光可能な領域を増加させることができ、原版７０を効率的に使用することができる。
【００５２】
なお、上記説明では、本発明にいうチャックの一例として、「所定程度傾けて搭載された先端チャックおよび後端チャック」、あるいは、「所定程度傾いた方向に搭載された先端チャックおよび後端チャック」を適用した例が示されているが、本発明にいうチャックは、「所定程度傾けて搭載された先端チャックと所定程度傾いた方向に搭載された後端チャック」などというようにこれらを混合して適用するものであってもよい。
【００５３】
また、上記説明では、本発明にいうチャックの一例として原版が傾けられた所定角度θと同じ角度だけ、回転軸に沿う方向から傾けて搭載されたチャックを適用する例が示されているが、本発明にいうチャックは、原版がドラムの回転方向から傾けられた角度と同じ程度、回転軸に沿う方向から傾けて搭載されたものであればよく、厳密に同じ角度だけ傾けられたものには限らない。
【００５４】
また、上記説明では、本発明にいうチャックの一例として原版が傾けられた所定角度θと同じ角度だけ、回転軸に沿う方向から傾いた方向に複数並べて搭載されたチャックを適用する例が示されているが、本発明にいうチャックは、原版がドラムの回転方向から傾けられた角度と同じ程度、回転軸に沿う方向から傾いた方向に並べて搭載されたものであればよく、厳密に同じ角度だけ傾いた方向に並べて搭載されたものには限らない。
【００５５】
また、上記説明では、本発明にいうチャックの一例として、予めドラムに搭載された先端チャックおよび原版を挟み込んでからドラムに固定される後端チャックを適用する例が示されているが、本発明にいうチャックは、原版を挟み込んでからドラムに固定される先端チャックや予めドラムに搭載された後端チャックを適用するものであってもよい。
【００５６】
さらに、上記説明では、本発明にいう露光部の一例として、光ビーム群の照射位置を一定の速度でドラムの回転軸に沿う方向に移動させる露光部を適用する例について説明したが、本発明にいう露光部は照射位置を一定の速度で移動させるものに限らず、例えば、ドラムの回転ごとに速度を変化させるものであってもよい。
【００５７】
【発明の効果】
以上、説明したように、本発明によれば、光ビームの走査方向と原版の縁の方向とを平行にするとともに、原版を効率的に使用することができるドラム型露光装置を提供することができる。
【図面の簡単な説明】
【図１】光ビーム群の照射位置を移動させながら原版を露光する第２の方式を適用したドラム型露光装置の一部を示している。
【図２】光ビーム群の照射位置を移動させながら原版を露光する第２の方式を適用したドラム型露光装置の一部を示している。
【図３】図２に示すドラムおよびドラムに巻き付けられた原版を示す図である。
【図４】本発明の一実施形態が適用されたドラム型露光装置を示す概略構成図である。
【図５】後端チャックの先端を示す図である。
【図６】原版を巻き付けたときの、図４に示すドラム型露光装置の正面図である。
【図７】図６にも示す原版およびドラムを示す図である。
【図８】本発明の第２実施形態におけるドラム型露光装置の一部を示す正面図である。
【図９】図８の原版およびドラムを示す図である。
【符号の説明】
１０    ドラム
１１    チャック
１２    ドラム型露光装置
２０    原版
２０ａ    側端
２１    領域
２１ａ    側端
２１ｂ    上端
２２    領域
２３    領域
３０    照射装置
３１    光ビーム群
３２    照射位置
４０    原版
４１    領域
４２    領域
４３    領域
１００    ドラム
１１０    先端チャック
１２０    溝
２００    給排版ユニット
２１０    排版ガイド
２２０    給版ガイド
３００    後端チャック保持部
３１０    後端チャック
３１１    コマ部
３１２    チャック部
４００    先端チャック押離部
４１０    突起
５００    ローラ
６００    露光部
６０１    光ビーム群
６１０    照射位置
７００    ドラム
７１０    先端チャック
７２０    後端チャック
【図１】
2004258205.tif 000003
【図２】
2004258205.tif 000004
【図３】
2004258205.tif 000005
【図４】
2004258205.tif 000006
【図５】
2004258205.tif 000007
【図６】
2004258205.tif 000008
【図７】
2004258205.tif 000009
【図８】
2004258205.tif 000010
【図９】
2004258205.tif 000011